(57)【要約】      （修正有）【課題】信号を周期的に且つ所望の回数だけ出力すること。【解決手段】救助補助装置１０は、リズム信号を周期的に出力することが可能であって、リズム信号の出力速度を設定する速度設定部１０１と、リズム信号の出力回数を設定する回数設定部１０２と、リズム信号を、速度設定部１０１により設定された出力速度で、回数設定部１０２により設定された出力回数だけ生成する生成部１０５と、生成された信号を出力する出力部１０６とを備えることを特徴とする。【選択図】図４
0003130484.tif 000002
【実用新案登録請求の範囲】
【請求項１】
信号を周期的に出力することが可能な信号発生装置であって、
前記信号の出力速度を設定する速度設定部と、
前記信号の出力回数を設定する回数設定部と、
前記信号を、前記速度設定部により設定された出力速度で、前記回数設定部により設定された出力回数だけ生成する生成部と、
前記生成部により生成された信号を出力する出力部とを備えることを特徴とする信号発生装置。
【請求項２】
前記回数設定部により設定された出力回数に基づいて、前記信号の最大出力回数を設定する最大値設定部と、
前記生成部による前記出力回数分の信号の生成を繰り返し実行させるための指示を前記生成部に対して行う指示部とを更に備え、
前記生成部が、前記指示部から信号の生成を指示された場合に、前記出力部による出力の合計回数と前記最大値設定部により設定された最大出力回数とを比較し、当該合計回数が当該最大出力回数未満である場合に前記信号を生成する、
ことを特徴とする請求項１に記載の信号発生装置。
【請求項３】
前記最大値設定部が、前記回数設定部により設定された出力回数に所定値を乗じた値を前記信号の最大出力回数として設定する、
ことを特徴とする請求項２に記載の信号発生装置。
【請求項４】
心肺蘇生法の実施を補助するための、請求項１〜３のいずれか一項に記載の信号発生装置。
【請求項５】
前記速度設定部により設定される出力速度が６０〜１２０回／分であり、
前記回数設定部により設定される出力回数が１５〜４０回である、
ことを特徴とする請求項４に記載の信号発生装置。
【請求項６】
心肺蘇生法の実施を補助するためのものであり、信号を周期的に出力することが可能な信号発生装置であって、
前記信号の出力速度を６０〜１２０回／分の範囲で設定する速度設定部と、
前記信号の出力回数を１５〜４０回の範囲で設定する回数設定部と、
前記回数設定部により設定された出力回数に５を乗じた値を前記信号の最大出力回数として設定する最大値設定部と、
前記信号を、前記速度設定部により設定された出力速度で、前記回数設定部により設定された出力回数だけ生成する生成部と、
前記生成部により生成された信号を出力する出力部と、
前記生成部による前記出力回数分の信号の生成を繰り返し実行させるための指示を前記生成部に対して行う指示部とを備え、
前記生成部が、前記指示部から信号の生成を指示された場合に、前記出力部による出力の合計回数と前記最大値設定部により設定された最大出力回数とを比較し、当該合計回数が当該最大出力回数未満である場合に前記信号を生成する、
ことを特徴とする信号発生装置。
【考案の詳細な説明】
【技術分野】
【０００１】
本考案は、信号を周期的に出力することが可能な信号発生装置に関するものである。
【背景技術】
【０００２】
従来から、信号を周期的に出力する信号発生装置が知られている。例えば、下記特許文献１には、顔面マスクに接続されたメトロノームが開示されている。このメトロノームは、反復胸部圧迫信号を一定の速度で発生させるものであり、オン／オフスライドスイッチの操作により作動又は停止する。
【特許文献１】特表２００４−５０９６５４号公報
【考案の開示】
【考案が解決しようとする課題】
【０００３】
しかしながら、上記特許文献１に記載のメトロノームは、一旦作動させると、オン／オフスライドスイッチがオフに切り替えられるまで停止しない。そのため、このメトロノームからの信号の出力を所望の回数のところで止めるためには、使用者自身が信号の出力回数を数え続け、所望の回数だけ信号が発生した時点で、当該使用者自身の手により上記スイッチをオフにする必要がある。そのため、使用者は、メトロノームからの信号に基づいて作業を行う場合にその作業に集中できないおそれがある。
【０００４】
一例として、心肺蘇生法を実施しようとする救助者が上記特許文献１に記載のメトロノームを利用する場合を示す。心肺蘇生法では、胸部圧迫と人工呼吸とが所定の回数ずつ交互に行われることが重要である。しかしながら、そのメトロノームは、スイッチを切り替えない限り信号を出力し続けるため、救助者は、自身で回数を数えながら心肺蘇生法を実施しなければならない。そのため、救助者にかかる負担が大きい。
【０００５】
本考案は、上記課題を解決する為になされたものであり、信号を周期的に且つ所望の回数だけ出力することが可能な信号発生装置を提供することを目的とする。
【課題を解決するための手段】
【０００６】
本考案の信号発生装置は、信号を周期的に出力することが可能な信号発生装置であって、信号の出力速度を設定する速度設定部と、信号の出力回数を設定する回数設定部と、信号を、速度設定部により設定された出力速度で、回数設定部により設定された出力回数だけ生成する生成部と、生成部により生成された信号を出力する出力部とを備えることを特徴とする。
【０００７】
このような信号発生装置によれば、信号が、設定された出力速度（周期）で、設定された出力回数だけ生成され、生成された信号が都度出力される。すなわち、信号の生成及び出力は、設定された出力回数以上行われない。そのため、信号を周期的に且つ所望の回数だけ出力することができる。
【０００８】
本考案の信号発生装置では、回数設定部により設定された出力回数に基づいて、信号の最大出力回数を設定する最大値設定部と、生成部による出力回数分の信号の生成を繰り返し実行させるための指示を生成部に対して行う指示部とを更に備え、生成部が、指示部から信号の生成を指示された場合に、出力部による出力の合計回数と最大値設定部により設定された最大出力回数とを比較し、当該合計回数が当該最大出力回数未満である場合に信号を生成する、ことが好ましい。
【０００９】
この場合、出力回数分の信号の出力が繰り返し行われる場合に、既に行われた出力の合計回数と、出力回数に基づいて設定された最大出力回数とが比較され、合計回数が最大出力回数まで達していない場合に信号が生成・出力される。これにより、設定された出力回数分の信号出力を繰り返し実行できるとともに、所望の最大出力回数だけ信号を出力することが可能になる。
【００１０】
本考案の信号発生装置は、最大値設定部が、回数設定部により設定された出力回数に所定値を乗じた値を信号の最大出力回数として設定する、ことが好ましい。
【００１１】
この場合、設定された出力回数と所定値とを掛け合わせるだけで最大出力回数を設定することができる。すなわち、最大出力回数の設定が簡易である。
【００１２】
本考案の信号発生装置は、心肺蘇生法の実施を補助するためのものであることが好ましい。
【００１３】
この場合、上記信号発生装置は、心肺蘇生法の実施を補助するために使用される。そのため、心肺蘇生法を実施する者は、自身で胸部圧迫の回数を数える必要がなくなり、心肺蘇生法の実施に集中することができる。なお、心肺蘇生法の実施とは、心肺蘇生法による救命処置の実施だけでなく、心肺蘇生法の訓練の実施なども含むものである。
【００１４】
本考案の信号発生装置は、速度設定部により設定される出力速度が６０〜１２０回／分であり、回数設定部により設定される出力回数が１５〜４０回である、ことが好ましい。
【００１５】
この場合、心肺蘇生法において奨励される出力速度（周期）、及び出力回数が設定可能である。そのため、心肺蘇生法を実施する者（救助者や訓練者など）は、この信号発生装置を用いることで、心肺蘇生法をより適切に実施することができる。
【００１６】
本考案の信号発生装置は、心肺蘇生法の実施を補助するためのものであり、信号を周期的に出力することが可能な信号発生装置であって、信号の出力速度を６０〜１２０回／分の範囲で設定する速度設定部と、信号の出力回数を１５〜４０回の範囲で設定する回数設定部と、回数設定部により設定された出力回数に５を乗じた値を信号の最大出力回数として設定する最大値設定部と、信号を、速度設定部により設定された出力速度で、回数設定部により設定された出力回数だけ生成する生成部と、生成部により生成された信号を出力する出力部と、生成部による出力回数分の信号の生成を繰り返し実行させるための指示を生成部に対して行う指示部とを備え、生成部が、指示部から信号の生成を指示された場合に、出力部による出力の合計回数と最大値設定部により設定された最大出力回数とを比較し、当該合計回数が当該最大出力回数未満である場合に信号を生成する、ことを特徴とする。
【００１７】
このような信号発生装置によれば、信号が、設定された出力速度（周期）で、設定された出力回数だけ生成され、生成された信号が都度出力される。すなわち、信号の生成及び出力は、設定された出力回数以上行われない。そのため、信号を周期的に且つ所望の回数だけ出力することができる。これにより、心肺蘇生法を実施する者（救助者や訓練者など）は、自身で回数を数えるために労力を割くことなく、心肺蘇生法の実施に集中することができる。また、この信号発生装置により、出力回数分の信号の出力を繰り返し実行することが可能である。この場合、既に行われた出力の合計回数と、出力回数に基づいて設定された最大出力回数とが比較され、合計回数が最大出力回数まで達していない場合に信号が生成・出力される。したがって、所望の最大出力回数だけ信号を出力することが可能になる。更に、この信号発生装置では、心肺蘇生法において奨励される出力速度（周期）、及び出力回数が設定可能であるとともに、出力回数に基づいて、心肺蘇生法において奨励される最大出力回数が設定される。そのため、心肺蘇生法を実施する者（救助者や訓練者など）は、この信号発生装置を用いることで、心肺蘇生法をより適切に実施することができる。
【考案の効果】
【００１８】
このような信号発生装置によれば、信号を周期的に且つ所望の回数だけ出力することができる。
【考案を実施するための最良の形態】
【００１９】
以下、添付図面を参照しながら本考案の実施形態を詳細に説明する。本実施形態では、本考案に係る信号発生装置を、心肺蘇生法の実施を補助するための救助補助装置１０に適用する。この救助補助装置１０は、リズム信号を出力すること（信号を周期的に出力すること）が可能である。なお、図面の説明において同一又は同等の要素には同一の符号を付し、重複する説明を省略する。
【００２０】
まず、図１を用いて、実施形態に係る救助補助装置１０の構成について説明する。図１は、救助補助装置１０の外観を示す斜視図である。
【００２１】
救助補助装置１０の筐体１１は、高さ１３５ｍｍ、幅７０ｍｍ、厚さ２４ｍｍの略直方体に形成されている。この筐体１１の前面１２には、操作部２０及び表示部３０が設けられている。また、筐体１１の上面１３には、スピーカ（図示せず）からのリズム音（リズム信号が音に変換されたもの）を通すための複数の小穴１５が形成されている。なお、救助補助装置１０の形状は図１に示すようなものに限定されない。例えば、救助補助装置１０の小型化を更に進め、カード型（平板状）のものにしてもよい。
【００２２】
操作部２０は、電源ボタン２１、選択ボタン２２、調節ボタン２３、及びスタートボタン２４を備えている。
【００２３】
電源ボタン２１は、救助補助装置１０の電源を投入又は切断するためのボタンである。なお、救助補助装置１０の電源はＤＣ９Ｖアルカリ乾電池（図示せず）であるが、電源の構成はこれに限定されるものではない。例えば、太陽電池を電源として用いてもよい。
【００２４】
選択ボタン２２は、救助補助装置１０の動作モードを切り替えるためのボタンである。この選択ボタン２２が押下される度に、救助補助装置１０の動作モードが、速度設定モード、出力回数設定モード、音量設定モード、及び出力準備モードに周期的に切り替わる。
【００２５】
調節ボタン２３は、救助補助装置１０が速度設定モード、出力回数設定モード、及び音量設定モードのいずれかである場合に操作可能である。この調節ボタン２３は、各設定モードに対応する値を増加又は減少させる。なお、速度設定モード、出力回数設定モード及び音量設定モードに対応する値は、それぞれ、リズム信号の出力速度、リズム信号の出力回数及びリズム音の音量である。
【００２６】
速度設定モードでは、調節ボタン２３が押下されることにより、リズム信号の出力速度が６０〜１２０回／分の間で５回／分刻みで設定される。出力回数設定モードでは、同様の操作により、リズム信号の出力回数が１５〜４０回の間で５回刻みで設定される。音量設定モードでは、同様の操作により、リズム音の音量が大音量（２）、小音量（１）及び消音（０）のうちのいずれかに設定される。リズム信号の出力速度の初期値（救助補助装置１０の電源投入時における設定値）は１００回／分であり、リズム信号の出力回数の初期値は３０回である。なお、本実施形態では、リズム信号の出力速度及び出力回数が共に５刻みで設定されるように救助補助装置１０が構成されているが、値をいくつずつ増加又は減少させるかは限定されない。例えば、１刻みで設定可能なように救助補助装置１０を構成してもよい。また、音量の選択肢も本実施形態に限定されるものではない。
【００２７】
リズム信号の出力速度及び出力回数の設定範囲、並びにそれらの初期値は、心肺蘇生法の好適な実施を考慮して設定されている。心肺蘇生法の実施においては、十分な回数の胸部圧迫が十分な強さで絶え間なく行われることが重要であるとされている。そのため、救助者が、１００回／分の出力速度で３０回胸部圧迫を行い、その後人工呼吸を２回行う、という一連の応急処置を５回繰り返すことが推奨されている。なお、この間に、その救助者が自動体外式除細動器（Automated External Defibrillator、ＡＥＤ）を使用する場合もある。上述の初期値は、このような好適な心肺蘇生法の実施を補助するために設定されたものである。また、上述の設定範囲は、更に患者の個人差（体格、病状等）などを考慮した上で、様々な救助場面に対応できるように設定されたものである。
【００２８】
スタートボタン２４は、リズム信号を周期的に出力させるためのボタンである。選択ボタン２２により救助補助装置１０が出力準備モードに遷移したときにスタートボタン２４が押下されると、救助補助装置１０が出力モードに切り替わり、リズム信号が、上記選択ボタン２２及び調節ボタン２３により設定された出力速度及び出力回数に従って出力される。なお、リズム信号が出力回数分出力されると、救助補助装置１０は出力モードから出力準備モードに切り替わる。
【００２９】
表示部３０は、救助補助装置１０の動作モードを表示するためのＬＥＤ部３１と、数字を表示するための数字表示部３２とを備えている。ＬＥＤ部３１は、速度設定モードであることを示すＬＥＤ３１ａと、出力回数設定モードであることを示すＬＥＤ３１ｂと、音量設定モードであることを示すＬＥＤ３１ｃと、出力準備モード又は出力モードであることを示すＬＥＤ３１ｄとを含んでいる。
【００３０】
ＬＥＤ部３１を構成する各ＬＥＤは、救助補助装置１０の動作モードに従って点灯、消灯又は点滅する。具体的には、速度設定モードでは、ＬＥＤ３１ａが点灯し、他のＬＥＤ３１ｂ〜３１ｄが消灯する。出力回数設定モードでは、ＬＥＤ３１ｂが点灯し、他のＬＥＤ３１ａ、３１ｃ及び３１ｄが消灯する。音量設定モードでは、ＬＥＤ３１ｃが点灯し、他のＬＥＤ３１ａ、３１ｂ及び３１ｄが消灯する。出力準備モードでは、ＬＥＤ３１ｄが点灯し、他のＬＥＤ３１ａ〜３１ｃが消灯する。出力モードでは、ＬＥＤ３１ｄが、設定された出力速度で設定された出力回数だけ点滅し、他のＬＥＤ３１ａ〜３１ｃが消灯する。
【００３１】
数字表示部３２は、救助補助装置１０の動作モードに対応する値を表示する。なお、出力準備モードの際にはリズム信号の出力回数が表示されるのが好ましいが、リズム信号の出力速度又はリズム音の音量（０〜２）が表示されてもよい。
【００３２】
出力モードの場合、数字表示部３２は、所定回数の胸部圧迫と所定回数の人工呼吸から成る応急処置（以下、「１セット分の応急処置」という）を繰り返す回数（以下「セット数」という）と、当該１セット分の応急処置における実際の出力回数とを表示する。具体的には、数字表示部３２において百の位にあたるデジタル表示部３２ａがセット数を表示し、十の位にあたるデジタル表示部３２ｂ及び一の位にあたるデジタル表示部３２ｃが、１セット分の応急処置内でのリズム音の出力回数を表示する。なお、動作モードにおいては、設定された出力回数ではなく、１セット分の応急処置における実際の出力回数が表示される。例えば、図２に示す数字表示部３２では「２１５」という数字が表示されているが、この数字は、セット数が「２」で実際の出力回数が「１５」であることを表している。
【００３３】
次に、図３を用いて、図１に示す救助補助装置１０の状態遷移について説明する。図３は、救助補助装置１０の状態遷移図である。上述したように、救助補助装置１０は、速度設定モード、出力回数設定モード、音量設定モード、出力準備モード、及び出力モードのいずれかに切り替わる。救助補助装置１０の電源が投入されると、救助補助装置１０の動作モードは、まず出力準備モードＪ０４に設定される。その後、選択ボタン２２が押下される度に、その動作モードが、出力準備モードＪ０４から速度設定モードＪ０１、出力回数設定モードＪ０２、音量設定モードＪ０３の順に周期的に切り替わる。そして、出力準備モードＪ０４においてスタートボタン２４が押下されると、動作モードが出力モードＪ０５に切り替わる。その後、リズム音の出力が終了すると、動作モードが出力モードＪ０５から出力準備モードＪ０４に戻る。
【００３４】
次に、図４及び５を用いて、図１に示す救助補助装置１０の機能構成について説明する。図４は救助補助装置１０の機能構成を示す図であり、図５はその救助補助装置１０のハードウェア構成図である。
【００３５】
救助補助装置１０は、機能的構成要素として、速度設定部１０１、回数設定部１０２、最大値設定部１０３、指示部１０４、生成部１０５及び出力部１０６を備えている。
【００３６】
この救助補助装置１０は、図５に示すように、複数の集積回路（ＩＣ）などにより構成される演算装置２０１と、メモリなどで構成される記憶装置２０２と、上記各ボタンなどで構成される入力用インタフェース２０３と、ＬＥＤ、デジタル表示装置及びスピーカなどで構成される出力用インタフェース２０４とで構成されている。図４を示して説明した各機能は、演算装置２０１が入力用インタフェース２０３からの入力信号を受け付けるとともに記憶装置２０２に記憶されているデータを読み込み、これら入力信号及びデータに基づいて所定の演算を行い、その演算により生成された信号を出力用インタフェース２０４に出力することで実現される。
【００３７】
速度設定部１０１は、リズム信号の出力速度の候補を予め複数記憶している。速度設定部１０１により記憶されている出力速度は、６０〜１２０回／分の間のものであり、５回／分刻みで設定されている。そして、速度設定部１０１は、速度設定モードの際に、上記調節ボタン２３からの信号に基づいて、複数の候補から一の出力速度を、出力されるリズム信号の出力速度として設定し記憶する。
【００３８】
回数設定部１０２は、リズム信号の出力回数の候補を予め複数記憶している。回数設定部１０２により記憶されている出力回数は、１５〜４０回の間のものであり、５回刻みで設定されている。そして、回数設定部１０２は、出力回数設定モードの際に、上記調節ボタン２３からの信号に基づいて、複数の候補から一の出力回数を、出力されるリズム信号の出力回数として設定し記憶するとともに、当該出力回数を最大値設定部１０３に出力する。なお、回数設定部１０２により設定される出力回数は、１セット分の応急処置の中での出力回数である。
【００３９】
最大値設定部１０３は、上述のセット数を予め記憶している。ここで、そのセット数は、上記推奨される心肺蘇生法に基づいて、５であることが好ましい。最大値設定部１０３は、回数設定部１０２から入力された出力回数にセット数「５」を乗じた値を、出力されるリズム信号の最大出力回数として設定し記憶する。すなわち、最大値設定部１０３は、回数設定部１０２により設定された出力回数に基づいて、リズム信号の最大出力回数を設定する。なお、上述したように、リズム信号の出力回数の初期値は３０回であるから、リズム信号の最大出力回数の初期値は、３０（回）×５（回）＝１５０（回）である。
【００４０】
指示部１０４は、リズム信号生成の指示をスタートボタン２４を介して受け付け、スタートボタン２４が押下された場合に、リズム信号の生成を指示するための指示信号を生成して生成部１０５に出力する。すなわち、指示部１０４は、リズム信号の生成を生成部１０５に指示する。なお、この指示は、複数回繰り返して行うことが可能である。
【００４１】
生成部１０５は、指示部１０４からの指示信号に基づいてリズム信号を生成し、そのリズム信号を出力部１０６に出力する。生成部１０５は、リズム信号を生成するために、リズム信号の出力速度、リズム信号の出力回数、及びリズム信号の最大出力回数を、速度設定部１０１、回数設定部１０２及び最大値設定部１０３からそれぞれ読み出す。また、生成部１０５は、これまでに生成されたリズム信号（出力部１０６から出力されたリズム音）の合計回数を記憶する。
【００４２】
そして、生成部１０５は、自身が記憶している合計回数と読み込んだ最大出力回数とを比較する。ここで、合計回数が最大出力回数未満である場合、生成部１０５は、速度設定部１０１により設定されている出力速度で、回数設定部１０２により設定されている出力回数だけリズム信号を生成し、生成の都度そのリズム信号を出力部１０６に出力する。これに対し、合計回数が最大出力回数以上である場合、言い換えれば、設定された出力回数分のリズム信号の出力が所定のセット数だけ繰り返された場合、生成部１０５はリズム信号を生成しない。
【００４３】
出力部１０６は、生成部１０５から入力されたリズム信号をリズム音としてスピーカ（図示せず）から出力するとともに、そのリズム信号をＬＥＤ３１ｄから光として出力する。これにより、救助補助装置１０の使用者は、心肺蘇生法の実施に好適な胸部圧迫のリズムを知ることができる。
【００４４】
次に、図６を用いて、図１に示す救助補助装置１０の処理について説明する。図６は、救助補助装置１０の処理を示すフローチャートである。
【００４５】
まず、速度設定部１０１によりリズム信号の出力速度が設定されるとともに、回数設定部１０２によりリズム信号の出力回数が設定される（ステップＳ０１）。その後、指示部１０４により、リズム信号を出力するための指示が受け付けられる（ステップＳ０２）。このときスタートボタン２４が押下されると、リズム信号生成の指示が指示部１０４から生成部１０５に出力され、生成部１０５においてリズム信号が生成される（ステップＳ０３）。このリズム信号は、速度設定部１０１で設定された出力速度と、回数設定部１０２で設定された出力回数とに基づいて生成される。
【００４６】
その後、このように生成されたリズム信号が出力部１０６により出力される（ステップＳ０４）。そして、出力回数分のリズム信号が出力されると、再度、指示部１０４により、リズム信号を出力するための指示が受け付けられる（ステップＳ０５）。ここでスタートボタン２４が押下されると、生成部１０５において、その時点までの出力の合計回数と最大出力回数とが比較される（ステップＳ０６）。ここで、出力の合計回数が最大出力回数未満である場合は（ステップＳ０６；ＹＥＳ）、上述のステップＳ０３〜Ｓ０５の処理が繰り返される。これに対し、出力の合計回数が最大出力回数以上である場合、すなわち、ステップＳ０３〜Ｓ０４の処理が所定のセット数分繰り返された場合は（ステップＳ０６；ＮＯ）、処理が終了する。
【００４７】
以上説明したように、本実施形態によれば、リズム信号が、設定された出力速度（周期）で、設定された出力回数だけ生成され、生成されたリズム信号が都度出力される。すなわち、リズム信号の生成及び出力は、設定された出力回数以上行われない。そのため、リズム信号を周期的に且つ所望の回数だけ出力することができる。これにより、心肺蘇生法を実施する者（救助者や訓練者など）は、自身で回数を数えるために労力を割くことなく、心肺蘇生法の実施に集中することができる。
【００４８】
また、本実施形態によれば、出力回数分の信号の出力を繰り返し実行することが可能である。この場合、既に行われた出力の合計回数と、出力回数に基づいて設定された最大出力回数とが比較され、合計回数が最大出力回数まで達していない場合に、リズム信号が生成・出力される。したがって、所望の最大出力回数だけリズム信号を出力することが可能になる。
【００４９】
また、本実施形態によれば、設定された出力回数に所定値「５」を乗じた値を最大出力回数として設定している。そのため、最大出力回数の設定が簡易である。
【００５０】
また、本実施形態によれば、心肺蘇生法において奨励される出力速度（周期）、及び出力回数が設定可能であるとともに、出力回数に基づいて、心肺蘇生法において奨励される最大出力回数が設定される。そのため、心肺蘇生法を実施する者（救助者や訓練者など）は、この救助補助装置１０を用いることで、心肺蘇生法をより適切に実施することができる。
【００５１】
以上、本考案をその実施形態に基づいて詳細に説明した。しかし、本考案は上記実施形態に限定されるものではない。本考案は、その要旨を逸脱しない範囲で以下のような様々な変形が可能である。
【００５２】
上記実施形態では、本考案に係る信号発生装置を、心肺蘇生法の実施を補助するための救助補助装置１０に適用したが、他のものに適用してもよい。例えば、演奏を補助するためのメトロノームや、運動を補助するためのペースメーカなどに適用してもよい。その際には、設定可能な出力速度、出力回数及び最大出力回数の範囲を用途に合わせて好適なものに設定してよい。
【００５３】
また、上記実施形態では、最大出力回数は、設定された出力回数に応じて自動的に算出されたが、最大出力回数も使用者が入力できるように信号発生装置を構成してもよい。例えば、最大出力回数を直接入力させるように装置を構成してもよいし、セット数を所定の範囲内（例えば３〜８回など）で選択可能にした上で、出力回数とそのセット数とを掛け合わせることで最大出力回数を算出するように装置を構成してもよい。
【図面の簡単な説明】
【００５４】
【図１】実施形態に係る救助補助装置の外観を示す斜視図である。
【図２】図１に示す数字表示部での表示例を示す図である。
【図３】図１に示す救助補助装置の状態遷移図である。
【図４】図１に示す救助補助装置の機能構成を示す図である。
【図５】図１に示す救助補助装置のハードウェア構成図である。
【図６】図１に示す救助補助装置の処理を示すフローチャートである。
【符号の説明】
【００５５】
１０…救助補助装置（信号発生装置）、１０１…速度設定部、１０２…回数設定部、１０３…最大値設定部、１０４…指示部、１０５…生成部、１０６…出力部。
【図１】
0003130484.tif 000003
【図２】
0003130484.tif 000004
【図３】
0003130484.tif 000005
【図４】
0003130484.tif 000006
【図５】
0003130484.tif 000007
【図６】
0003130484.tif 000008